(57)【要約】      （修正有）【課題】使い勝手の良い数独用ゲーム器を提供する。【解決手段】ゲーム盤２０のいくつかのセル２８に、問題設定用数字が表記された裏面を上にして駒４０を嵌め込み、問題を設定する。そして、空いているセル２８に、回答用数字が表記された表面を上にして駒４０を嵌め込んでいく。セル２８に嵌め込まれた駒４０を入れ替えするとき、指で駒４０の上半分を押すと、駒４０の上半分がセル２８の凹部２８ａに沈み込んで駒４０の下半分がセル２８の底面から跳ね上がるので、跳ね上がった駒４０を指で摘んでセル２８から取り出す。【選択図】図１
0003194312.tif 000002
【実用新案登録請求の範囲】
【請求項１】
矩形の外枠と、外枠の中に配列した８本の縦枠及び８本の横枠で８１個のセルを区画形成したゲーム盤と、表面に回答用数字が表記され、裏面に問題設定用数字が表記され、各セルに一枚ずつ嵌め込むことのできる複数枚の駒を備えた数独用ゲーム器であって、
各セルの底面に凹部を形成し、セルに嵌め込んだ駒の一側を指で押さえたとき、駒の一側が凹部に沈み込んで駒の他側がセルの底面から跳ね上がるようにしたことを特徴とする数独用ゲーム器。
【請求項２】
複数枚の駒を収納するためゲーム盤の裏面に引き出し式の収納ボックスを設けたことを特徴とする請求項１に記載の数独用ゲーム器。
【請求項３】
収納ボックスの内部を少なくとも９つのブロックに分割したことを特徴とする請求項２に記載の数独用ゲーム器。
【考案の詳細な説明】
【技術分野】
【０００１】
本考案は数独用ゲーム器に関する。
【背景技術】
【０００２】
近時、ゲームの一種である数独が多くの人に楽しまれている。数独は図６に示すボード１００が使われる。このボード１００には、縦９行、横９列の行列で区画された合計８１のセル１０１が表記されている。８１のセル１０１は縦３行、横３列の行列で区画されたリージョンと呼ばれる９つの区画１０２に分割される。数独のルールは、各セル１０１に１から９の数字のいずれかを記入する。その際、一つの行や列には同じ数字が入らないようにするとともに、各リージョン１０２にも同じ数字が入らないようにする。
【０００３】
ボード１００の８１のセル１０１のうち、いくつかのセル１０１には予め数字が記入されて問題が作成される。予め記入される数字の多寡、数字が記入されるセル１０１の位置によって問題の難易度が異なってくる。
【０００４】
数独用ゲーム器の一形式として、特開２００８−２８４１７６号公報には、８１のセルを表記したゲーム盤と、このゲーム盤に使う多数の駒を備えたゲーム器が開示されている。ゲーム盤の材質には磁性体が使われている。各駒の表面には１〜９のうちの何れかの数字が記されている。駒の裏面には表面と同じ数字が記されている。駒の表面の数字は回答用数字として用い、駒の裏面の数字は問題設定用数字として用いられる。回答用数字と問題設定用数字が区別できるように、駒の表面の色と裏面の色が異なっている。また、各駒には磁石が内蔵されている。
【０００５】
ゲーム盤のいくつかのセルに駒を、裏面を上にして載置し、問題を設定する。そして、残りのセルに駒を、表面を上にして載置し、回答を作成する。駒をゲーム盤に載置したとき、駒は磁力でゲーム盤にくっ付くので、ゲームの各セルに置いた駒がずれることはない。
【先行技術文献】
【特許文献】
【０００６】
【特許文献１】特開２００８−２８４１７６号公報
【考案の概要】
【考案が解決しようとする課題】
【０００７】
上記した従来の数独用ゲーム器は、ゲーム盤の各セルに置いた駒がずれないように、ゲーム盤を磁性体で製作するとともに、駒に磁石を内蔵している。
このゲーム器で数独を楽しむためには、少なくとも８１枚の駒が必要となるが、各駒に磁石が内蔵されているため、ゲーム盤のセルに置く前の駒同士がくっついて重なったり、重なったいくつかの駒がゲーム盤にくっついてしまい、甚だ使い勝手が悪い。
本考案はかかる点に鑑み、使い勝手の良い数独用ゲーム器を提供することを目的とする。
【課題を解決するための手段】
【０００８】
請求項１に記載の考案は、矩形の外枠と、外枠の中に配列した８本の縦枠及び８本の横枠で８１個のセルを区画形成したゲーム盤と、表面に回答用数字が表記され、裏面に問題設定用数字が表記され、各セルに一枚ずつ嵌め込むことのできる複数枚の駒を備えた数独用ゲーム器であって、
各セルの底面に凹部を形成し、セルに嵌め込んだ駒の一側を指で押さえたとき、駒の一側が凹部に沈み込んで駒の他側がセルの底面から跳ね上がるようにしたことを特徴とする。
【０００９】
請求項１に記載の数独用ゲーム器において、複数枚の駒を収納するためゲーム盤の裏面に引き出し式の収納ボックスを設けたことを特徴とする。
【００１０】
請求項２に記載の数独用ゲーム器において、収納ボックスの内部を少なくとも９つのブロックに分割したことを特徴とする。
【考案の効果】
【００１１】
請求項１に記載の考案によれば、外枠と縦枠及び横枠で区画形成したセルに駒を嵌め込むので、駒がずれない。また、セルに嵌め込んだ駒は一側を指で押せば他側がセルの底面から跳ね上がる。そのため、跳ね上がった駒を指で摘んでセルから取り出すことができるので、使い勝手が良い。
【００１２】
数独は１から９の各数字を表記した駒を各数字ごとに９枚、合計で８１枚の駒を少なくとも必要とする。請求項２に記載の考案によれば、多数の駒を収納する収納ボックスを設けたので、駒の散失を防止できる。また、収納ボックスを引き出し式としたので、ゲーム盤の裏面から収納ボックスを引き出して、ゲーム盤の横に置き、収納ボックスから必要な駒を取り出してゲーム盤のセルに嵌め込むことができ、ゲーム器の使い勝手が良くなる。
【００１３】
請求項３に記載の考案によれば、収納ボックスの内部を少なくとも９つのブロックに分割したので、８１枚の駒を１から９の９種類の数字ごとに分けてブロックに収納でき、よりゲーム器の使い勝手が良くなる。
【図面の簡単な説明】
【００１４】
【図１】本考案の実施例に係るゲーム器を示す斜視図である。
【図２】同ゲーム器のゲーム盤を示す斜視図である。
【図３】同ゲーム器のゲーム盤と駒を示す斜視図である。
【図４】同ゲーム器のゲーム盤と駒を示す斜視図である。
【図５】図３の５−５線から切断した断面図である。
【図６】数独ゲームのルールの説明図である。
【実施例】
【００１５】
以下に本考案の一実施例に係る数独用ゲーム器１０を図１〜図５に基づいて説明する。当該数独用ゲーム器１０はゲーム盤２０、収納ボックス３０、多数の駒４０及びゲーム盤２０の表面に被せられる透明カバー５０を備えている。
【００１６】
ゲーム盤２０は上枠２１、下枠２２、左右２本の側枠２３，２４からなる矩形の外枠２５と、外枠２５の中に配列した８本の縦枠２６ａ〜２６ｈ及び８本の横枠２７ａ〜２７ｈを備え、外枠２５と縦枠２６ａ〜２６ｈ及び横枠２７ａ〜２７ｈで縦９行、横９列、合計８１個のセル２８が区画形成されている。また、外枠２５と２本の縦枠２６ｃ，２６ｆ及び２本の横枠２７ｃ，２７ｆで９つのリージョン２９が区画形成されている。各リージョン２９にはそれぞれ９つのセル２８が含まれる。各セル２８の底面は下側半分と上側半分に２分割され、上側半分は下側半分より低い凹部２８ａとして形成されている。
【００１７】
ゲーム盤２０の裏面には上下２本のガイドレール２０ａが設けられ、ガイドレール２０ａに沿って出し入れ可能に収納ボックス３０がゲーム盤２０の裏面に組み付けられている。収納ボックス３０は９つの正方形ブロック３１と１つの長方形ブロック３２に分割されている。
【００１８】
各駒４０の表面には回答用数字が表記され、裏面には回答用数字と同じ種類の問題設定用数字が表記されている。回答用数字と問題設定用数字は区別ができるように、例えば回答用数字は黒色、問題設定用数字は赤色で表記されている。各駒４０は数字の種類で区別し、同じ種類の数字が表記された駒は一つの正方形ブロック３１に収納される。また、表裏両面が白紙の予備用駒４１が長方形ブロック３２に収納される。
【００１９】
本実施例に係る数独用ゲーム器１０の構造は以上の通りであって、図３に示すように、ゲーム盤２０のいくつかのセル２８に、問題設定用数字が表記された裏面を上にして駒４０を嵌め込み、問題を設定する。そして、空いているセル２８に、回答用数字が表記された表面を上にして駒４０を嵌め込んでいく。図４に示すように、ゲーム盤２０の全てのセル２８に駒４０が嵌め込まれ、何れの行や列にも、かついずれのリージョン２９にも１〜９の数字が一つずつ並ぶようにセル２８に駒４０が嵌め込まれると正解となる。数字を表記した駒を紛失した場合、予備用駒４１に数字を表記して代用する。
【００２０】
問題を解くに当っては、空いているセル２８に駒４０を入れ替えて回答を試行錯誤することで、正解に達することができる。図５に示すように、セル２８に嵌め込まれた駒４０を入れ替えるとき、指で駒４０の上半分を押すと、駒４０の上半分がセル２８の凹部２８ａに沈み込んで駒４０の下半分がセル２８の底面から跳ね上がるので、跳ね上がった駒４０を指で摘んでセル２８から取り出す。
【００２１】
本実施例に係るゲーム器１０によれば、外枠２５と縦枠２６ａ〜２６ｈ及び横枠２７ａ〜２７ｈで区画形成したセル２８に駒４０を嵌め込むので、駒４０がずれない。また、セル２８に嵌め込んだ駒４０は一側を指で押せば他側がセル２８の底面から跳ね上がる。そのため、跳ね上がった駒４０を指で摘んでセル２８から取り出すことができるので、使い勝手が良い。
【００２２】
多数の駒４０を収納する収納ボックス３０を設けたので、駒４０の散失を防止できる。また、収納ボックス３０を引き出し式としたので、ゲーム盤２０の裏面から収納ボックス３０を引き出して、ゲーム盤２０の横に置き、収納ボックス３０から必要な駒４０を取り出してゲーム盤２０のセル２８に嵌め込むことができ、ゲーム器１０の使い勝手が良くなる。
【００２３】
収納ボックス３０の内部を９つのブロック３１に分割したので、８１枚の駒４０を１から９の９種類の数字ごとにブロック３１に収納でき、よりゲーム器１０の使い勝手が良くなる。
【符号の説明】
【００２４】
１０…数独用ゲーム器
２０…ゲーム盤
２５…外枠
２６ａ〜２６ｈ…縦枠
２７ａ〜２７ｈ…横枠
２８…セル
２９…リージョン
３０…収納ボックス
３１…ブロック
４０…駒
【図１】
0003194312.tif 000003
【図２】
0003194312.tif 000004
【図３】
0003194312.tif 000005
【図４】
0003194312.tif 000006
【図５】
0003194312.tif 000007
【図６】
0003194312.tif 000008